(57)【要約】【課題】  現像処理後には乾燥処理部において写真フィルムを確実に乾燥できるフィルムプロセッサを構成する。【解決手段】  搬送手段Ｐで送られる写真フィルムが赤外線を用いたフォトインタラプト型の存否センサＳで検出できない場合には、キーボード１９で入力した乾燥時間に対応した時間だけ乾燥処理部Ｃのヒータ１５とブロワ１６とを作動させる乾燥制御手段Ｇを備えた。【選択図】        図２
2005274654.tif 000002
【特許請求の範囲】
【請求項１】
フィルム供給部と、複数の現像処理槽を有する現像処理部と、乾燥機構を有する乾燥処理部とを備え、前記フィルム供給部にセットされた未現像の写真フィルムを前記現像処理部から前記乾燥処理部に送り、この乾燥処理部での乾燥処理の後に送り出す搬送手段を備えているフィルムプロセッサであって、
前記搬送手段で送られる写真フィルムが赤外線を遮断することにより写真フィルムの存在を検出する存否センサを備え、この存否センサでの写真フィルムの検出結果に基づいて前記乾燥機構の作動時間を設定する乾燥制御手段を備えると共に、
前記乾燥制御手段は、前記写真フィルムの先端に取り付けたリーダを前記存否センサで検出することにより前記乾燥機構を設定時間だけ作動させ、この設定時間内に前記存否センサで前記写真フィルムを検出した際に、この写真フィルムの検出時間に基づいて前記乾燥機構の作動時間を延長するように構成され、
この乾燥制御手段は、前記存否センサで前記リーダを検出した後に前記存否センサで前記写真フィルムを検出できない際には、乾燥設定ユニットで設定された乾燥時間だけ前記前記乾燥機構の作動時間を延長するように構成されているフィルムプロセッサ。
【請求項２】
前記乾燥設定ユニットは、写真フィルムで撮影可能なコマ数又は写真フィルムの長さを設定する情報入力部と、この情報入力部で入力された情報を前記乾燥時間に変換して出力する変換部とを備えている請求項１記載のフィルムプロセッサ。
【請求項３】
前記乾燥設定ユニットは、人為操作されるスイッチと、このスイッチが操作された際に予め設定された前記乾燥時間を出力する乾燥時間生成部とを備えている請求項１記載のフィルムプロセッサ。
【請求項４】
前記フィルム供給部が、未現像の写真フィルムを巻き取ったカートリッジを保持するカートリッジ保持部を備え、このカートリッジ保持部に保持したカートリッジから写真フィルムを引き出して前記搬送手段に送り込み、この送り込み時には写真フィルムの後端部をカッターで切断するよう構成されると共に、
前記乾燥設定ユニットは、このカートリッジ保持部に保持されたフィルムカートリッジから引き出した後、前記カッターで切断されるまでの写真フィルムの引き出し量を計測する長さ計測手段で構成され、この長さ計測手段は計測情報に基づいて前記乾燥時間を設定するよう処理形態が設定されている請求項１記載のフィルムプロセッサ。
【請求項５】
前記存否センサでの写真フィルムの存否の判断結果を出力する報知手段を備えている請求項１〜４のいずれか１項に記載のフィルムプロセッサ。
【発明の詳細な説明】
【技術分野】
【０００１】
本発明は、フィルム供給部と、複数の現像処理槽を有する現像処理部と、乾燥機構を有する乾燥処理部とを備え、前記フィルム供給部にセットされた未現像の写真フィルムを前記現像処理部から前記乾燥処理部に送り、この乾燥処理部での乾燥処理の後に送り出す搬送手段を備えているフィルムプロセッサに関する。
【背景技術】
【０００２】
上記のように構成されたフィルムプロセッサとして、装置本体のハウジング内にフィルム装填部（本発明のフィルム供給部）と、フィルムの現像・漂白・定着・安定処理を行う現像処理部と、現像処理後のフィルムに送風ファンから熱風を送ることにより乾燥を行う乾燥処理部とを備えたものが存在する（例えば、特許文献１参照）。
【０００３】
この特許文献１では、フィルムの先端にフィルムリーダを取り付けた状態でフィルム装填部に装着することにより、フィルムリーダに形成された多数の送り孔に対して搬送手段のスプロケットの歯が噛み合うことによってフィルムリーダとともにフィルムを現像処理部から乾燥処理部に送り最終的にはフィルムストッカーに送り出すようにフィルムの搬送形態が設定されている。
【０００４】
【特許文献１】特開２００３‐５３４０号公報  （段落番号〔００１９〕〜〔００２８〕、図１）
【発明の開示】
【発明が解決しようとする課題】
【０００５】
また、従来からのフィルムプロセッサでは、フィルム供給部から現像処理部の側に送られる写真フィルムの存否を判別するように、赤外線を用いたフォトインタラプト型の存否センサを備えており、この存否センサで写真フィルムを継続的に検出した時間（赤外線が遮断された時間）に基づいて写真フィルムの長さを判断し、乾燥処理部における乾燥処理時間を設定していた。因みに、存否センサに使用される赤外線の波長は写真フィルムの感光材を感光させない波長に設定されている。
【０００６】
しかしながら、赤外線は物質を透過する性質が強いため、例えば、写真フィルムの感光材料として赤外線を透過しやすい乳剤が新たに開発された場合には、その乳剤を使用した写真フィルムを検出できないことも考えられた。つまり、フィルムプロセッサは、想定されたものより赤外線を透過しやすい写真フィルムの現像処理を行う場合には、乾燥処理部での乾燥処理が不能になることや、乾燥処理時間が極端に短くなることも想定され改善が望まれていたのである。
【０００７】
そこで、写真フィルムに接触する構造の存否センサを用いることも考えられるが、この種の存否センサは、写真フィルムに接触することにより姿勢が変化する接触片と、この接触片の姿勢変化を検出するスイッチ類等を必要とするため、機械的な作動部に故障を発生しやすいばかりでなく、接触片が写真フィルムに接触するので写真フィルムに擦り傷を作りやすい不都合を招くものであった。
【０００８】
本発明の目的は、現像処理後には乾燥処理部において写真フィルムを確実に乾燥できるフィルムプロセッサを合理的に構成する点にある。
【課題を解決するための手段】
【０００９】
本発明の特徴は、フィルム供給部と、複数の現像処理槽を有する現像処理部と、乾燥機構を有する乾燥処理部とを備え、前記フィルム供給部にセットされた未現像の写真フィルムを前記現像処理部から前記乾燥処理部に送り、この乾燥処理部での乾燥処理の後に送り出す搬送手段を備えているフィルムプロセッサであって、
前記搬送手段で送られる写真フィルムが赤外線を遮断することにより写真フィルムの存在を検出する存否センサを備え、この存否センサでの写真フィルムの検出結果に基づいて前記乾燥機構の作動時間を設定する乾燥制御手段を備えると共に、
前記乾燥制御手段は、前記写真フィルムの先端に取り付けたリーダを前記存否センサで検出することにより前記乾燥機構を設定時間だけ作動させ、この設定時間内に前記存否センサで前記写真フィルムを検出した際に、この写真フィルムの検出時間に基づいて前記乾燥機構の作動時間を延長するように構成され、
この乾燥制御手段は、前記存否センサで前記リーダを検出した後に前記存否センサで前記写真フィルムを検出できない際には、乾燥設定ユニットで設定された乾燥時間だけ前記前記乾燥機構の作動時間を延長するように構成された点にある。
【００１０】
この構成により、存否センサでリーダの検出に続いて写真フィルムを検出した際には、写真フィルムの検出時間に基づき乾燥制御手段が乾燥機構による作動時間を延長する時間を設定し、また、存否センサでリーダの検出に続いて写真フィルムを検出できない際には、前記乾燥制御手段が乾燥設定ユニットで設定された乾燥時間だけ乾燥機構を延長することができる。その結果、存否センサで検出できない写真フィルムの現像処理を行う場合でも、必要とする時間だけ乾燥機構を作動させて現像処理後の写真フィルムを適切に乾燥できるのである。
【００１１】
本発明は、前記乾燥設定ユニットが、写真フィルムで撮影可能なコマ数又は写真フィルムの長さを設定する情報入力部と、この情報入力部で入力された情報を前記乾燥時間に変換して出力する変換部とを備えても良い。
【００１２】
この構成により、乾燥設定ユニットの情報入力部から写真フィルムで撮影可能なコマ数やフィルム長さを入力することにより、このように入力された情報に基づいて変換部が乾燥時間を出力し、この乾燥時間だけ乾燥機構の作動時間を延長させて無駄のない乾燥を実現する。
【００１３】
本発明は、前記乾燥設定ユニットが、人為操作されるスイッチと、このスイッチが操作された際に予め設定された前記乾燥時間を出力する乾燥時間生成部とを備えても良い。
【００１４】
この構成により、乾燥設定ユニットのスイッチを操作することにより乾燥時間生成部が、予め設定された乾燥時間を出力するものとなり、この乾燥時間として、どのような長さの写真フィルムも充分に乾燥できる時間に設定しておくだけで、複雑な操作を行わずとも写真フィルムを確実に乾燥できるものとなる。
【００１５】
本発明は、前記フィルム供給部が、未現像の写真フィルムを巻き取ったカートリッジを保持するカートリッジ保持部を備え、このカートリッジ保持部に保持したカートリッジから写真フィルムを引き出して前記搬送手段に送り込み、この送り込み時には写真フィルムの後端部をカッターで切断するよう構成されると共に、
前記乾燥設定ユニットは、このカートリッジ保持部に保持されたフィルムカートリッジから引き出した後、前記カッターで切断されるまでの写真フィルムの引き出し量を計測する長さ計測手段で構成され、この長さ計測手段は計測情報に基づいて前記乾燥時間を設定するよう処理形態が設定されても良い。
【００１６】
この構成により、フィルム供給部のカートリッジ保持部にカートリッジをセットして現像処理を行う際には、カートリッジから写真フィルムを引き出して搬送手段に送り込み、この写真フィルムの後端部をカッターで切断する作動が行われ、このような作動が行われた際には、乾燥設定ユニットとして機能する長さ計測手段が写真フィルムの引き出し量を計測し、この計測情報に基づいて作動時間を設定するので適正な時間だけ乾燥機構を作動させて無駄のない乾燥を実現する。
【００１７】
本発明は、前記存否センサでの写真フィルムの存否の判断結果を出力する報知手段を備えても良い。
【００１８】
この構成により、写真フィルムの現像処理を開始した後には、存否センサが写真フィルムを検出したか否かの判断を報知手段の報知内容から把握できるものとなり、乾燥設定ユニットによって写真フィルムの乾燥を行うことの是非を容易に判断できる。
【発明を実施するための最良の形態】
【００１９】
以下、本発明の実施形態を図面に基づいて説明する。
図１に示すように、筐体１の前端部に形成したフィルム供給部Ａにセットされた未現像の写真フィルムＦを筐体内部の現像処理部Ｂに導入して現像処理を行い、この現像処理後の写真フィルムＦを乾燥処理部Ｃで乾燥し、この乾燥の後の写真フィルムＦを筐体１の上部に配置したフィルムストッカーＤに送り出すようにフィルムプロセッサが構成されている。
【００２０】
このフィルムプロセッサは、１３５サイズの写真フィルムばかりでなく、２４０サイズ、１１０サイズ、１２０サイズや２２０サイズの写真フィルムＦの現像処理を行えるように構成されている。また、これらの写真フィルムＦの現像処理を行う場合には、その写真フィルムＦの先端に柔軟な樹脂で成る板状のリーダ（図示せず）を取り付け、そのリーダを前記フィルム供給部Ａにセットすることにより、リーダとともに写真フィルムＦを現像処理部Ａ、現像処理部Ｂ、乾燥処理部Ｃ、フィルムストッカーＤ夫々に搬送するものとなり、この搬送を実現する搬送手段Ｐを備えている。
【００２１】
前記フィルム供給部Ａは、開閉自在な蓋体２の内部に１３５サイズの写真フィルムＦを巻き取ったカートリッジ（パトローネ）を保持するカートリッジ保持部３を備えると共に、このカートリッジＣａから引き出した写真フィルムＦと、その写真フィルムＦの先端に取り付けたリーダとを送り出す供給機構４を備え、写真フィルムＦの後端位置を切断するカッター５と備えている。また、このフィルム供給部Ａは１３５サイズ以外のサイズの写真フィルムの現像処理を行えるようにも構成されているが、１３５サイズ以外のサイズの写真フィルムをセットした場合にはカッター５を作動させずに写真フィルムＦを送り出して現像処理を行えるように構成されている。
【００２２】
また、前記フィルム供給部Ａから写真フィルムＦを送り出す搬送経路に写真フィルムＦの存否を判別する存否センサＳを備えている。この存否センサＳは、赤外線光源８と受光素子９とを備え、赤外線が写真フィルムＦで遮断されることにより写真フィルムＦの存在を検出するように構成されている。尚、この存否センサＳは写真フィルムＦが感光しない波長の赤外線を赤外線光源８から照射し、この波長の赤外線を受光素子９が受光することにより写真フィルムＦが存在しないと判断し、赤外線が遮断され受光素子９で赤外線を受光しない場合に写真フィルムＦが存在すると判断する。
【００２３】
前記現像処理部Ｂは、発色現像処理、漂白処理、定着処理、安定処理を行う複数の現像処理槽１１を備えると共に、この複数の現像処理槽１１に写真フィルムを送るように複数のローラとスプロケットとを有した搬送ユニット１２を備え、この搬送ユニット１２のうち現像処理部Ｂから前記乾燥処理部Ｃに対して写真フィルムＦを送り出す部位には、写真フィルムＦに圧着して現像処理液を除去するスクイズローラ１２Ａを備えている。
【００２４】
前記乾燥処理部Ｃは写真フィルムＦを案内する複数のローラ１４と、この複数のローラ１４で送られる写真フィルムＦに対してヒータ１５で加熱された加熱空気を供給するブロワ１６とを備えている。また、前記フィルム供給部Ａからの写真フィルムＦを送り出す搬送系と、現像処理部Ｂの搬送ユニット１２と、前記乾燥処理部Ｃの複数のローラ１４とで前記搬送手段Ｐが構成され、ヒータ１５とブロワ１６とで乾燥機構が構成されている。
【００２５】
前記乾燥処理部Ｃは、現像処理部Ｂでの現像処理を終えた写真フィルムＦの乾燥を確実に行うために、現像処理部Ｂから写真フィルムＦの先端が送り出される以前に作動を開始し、この乾燥処理部Ｃから写真フィルムＦの後端が送り出されるまで作動を継続するものである。
【００２６】
具体的には、図５（ａ）のタイミングチャートに示すように、現像処理を行う場合には、前記存否センサＳによって前記リーダを検出したタイミングでヒータ１５とブロワ１６との作動（乾燥作動）を開始し、この開始のタイミングから予め設定された時間Ｔ１だけ乾燥作動を継続するよう基本的な作動が設定されている。そして、前記時間Ｔ１内において前記存否センサＳで写真フィルムＦの検出を終了した場合には、その終了のタイミングを基準として延長時間Ｔ２だけ乾燥機構の作動を延長させる。この延長時間Ｔ２は、同図に「全搬送」として示されるように、乾燥機構による作動が終了する以前に写真フィルムＦの終端部を乾燥処理部ＣからフィルムストッカーＤに排出するに充分な時間に設定される。
【００２７】
尚、上記した制御形態に代えて、存否センサＳでリーダを検出したタイミングから少し遅延したタイミングで前記ヒータ１５とブロワ１６との作動を開始するよう処理形態を設定しても良い。このように処理形態を設定した場合には、乾燥処理部Ｃで消費される電力の低減を図ることが可能となる。
【００２８】
図１〜図３に示すように、筐体１の端部で前記フィルム供給部Ａに並列する位置に液晶表示部１８とキーボード１９とを有したコントロールパネル２０を備え、また、この筐体１にはマイクロプロセッサを有した制御装置２５を備えている。前記コントロールパネル２０は乾燥設定ユニットとして機能し、前記キーボード１９は情報入力部として機能し、このキーボード１９に備えた複数のキーはスイッチとして機能し、前記液晶表示部１８は報知手段として機能する。
【００２９】
前記制御装置２５は、前記搬送手段Ｐを制御し、前記複数の現像処理槽１１に対する現像処理液の補給や温度管理の制御を実現し、前記乾燥処理部Ｃにおけるヒータ１５とブロワ１６との作動時間を設定する乾燥制御手段Ｇとして機能するものである。
【００３０】
前記制御装置２５で構成される乾燥制御手段Ｇは、前記存否センサＳの検出結果に基づいて前記乾燥処理部Ｃにおけるヒータ１５とブロワ１６との乾燥時間を設定するものであるが、存否センサＳで写真フィルムＦを検出できなかった場合には、任意に設定した時間、あるいは、フィルム供給部Ａで計測されるフィルム長さに基づいて乾燥時間を設定できるように構成されている。尚、この乾燥制御手段Ｇはマイクロプロセッサを備えずロジックやトランジスタ、リレー等を備えて構成しても良い。
【００３１】
このフィルムプロセッサは、前記存否センサＳによって存在を検出できない（赤外線が容易に透過する性質の）写真フィルムＦの現像処理を行う場合には、図５（ｂ）に示すように、前記存否センサＳによって前記リーダを検出したタイミングでヒータ１５とブロワ１６との作動（乾燥作動）を開始し、この開始のタイミングから予め設定された時間Ｔ１を経過した時点でヒータ１５とブロワ１６との作動が停止する不都合に繋がるため、この時間Ｔ１に対して更に乾燥時間Ｔ３だけ乾燥処理の時間を延長する処理を実行できるように構成されている。
【００３２】
制御装置２５を含む制御系を図２のように表すことが可能である。この制御系では、制御装置２５に対して前記受光素子９の検出信号が入力する信号系と、前記搬送手段Ｐによる写真フィルムＦの搬送速度情報が入力する信号系が形成されている。
【００３３】
前記フィルム供給部Ａのカッター５はカッター制御部６によって制御され、このフィルム供給部Ａでは、前記カートリッジ保持部３に保持されたフィルムカートリッジＣａから写真フィルムＦを引き出した後、前記カッター５で切断されるまでの写真フィルムＦの引き出し量を計測する長さ計測手段７（乾燥設定ユニットとして機能する）を備え、更に、この長さ制御部７で計測したフィルム長さ情報を制御装置２５に入力する信号系が形成されている。
【００３４】
前述したようにコントロールパネル２０は、乾燥設定ユニットとして機能するものである。このコントロールパネル２０には、前記キーボード１９からの情報を処理し、前記液晶表示部１８を制御するようマイクロプロセッサを有した情報処理部２１を備えており、この情報処理部２１と前記制御装置２５との間に信号のアクセス系が形成されている。図３に示すようにキーボード１９には強制乾燥キー１９Ａと、設定キー１９Ｂと、一対の選択キー１９Ｃと、決定キー１９Ｄとが形成されている。前記キーボード１９が情報入力部として機能し、前記複数のキーはスイッチとして機能する。
【００３５】
前記液晶表示部１８は、前記存否センサＳでの写真フィルムＦの検出の有無を表示すると共に、前記強制乾燥キー１９Ａが操作された場合には、その操作が行われたことを文字やシンボル等で表示し、また、前記設定キー１９Ｂが操作された場合には、複数の写真フィルムＦの種類と、撮影可能なコマ数等の長さ情報とを液晶表示部１８に表示し、この表示に対してオペレータが前記選択キー１９Ｃを操作した場合には、対応する写真フィルムＦに対応領域を反転させることや強調的に表示することにより選択状態にあることを示し、この選択状態で前記決定キー１９Ｄが操作された場合には、選択された写真フィルムＦの長さ情報を前記情報処理部２１で乾燥時間情報に変換して前記制御装置２５に出力するよう構成されている。
【００３６】
前記情報処理部２１は、変換部２１Ａと乾燥時間生成部２１Ｂとを備えている。つまり、変換部２１Ａは、前記設定キー１９Ｂ、選択キー１９Ｃ、決定キー１９Ｄ夫々の操作によって選択された写真フィルムＦのコマ数又は写真フィルムＦの長さの情報が入力された際に、この情報を乾燥時間に変換し、前記乾燥時間生成部２１Ｂは、前記強制乾燥キー１９Ａが操作された場合に予め設定された乾燥時間を出力する処理を行うものである。尚、選択される複数の写真フィルムＦとしては１３５サイズ、２４０サイズ、１２０サイズ、２２０サイズ等が設定されている。
【００３７】
前記制御装置２５は、図４のフローチャートのように乾燥時間を設定する。つまり、存否センサＳからの信号に基づいて、写真フィルムＦの検出の有無を前記液晶表示部１８に表示し、写真フィルムＦを検出した場合には、この検出に基づいて延長時間Ｔ２を設定する（＃０１ステップ）。
【００３８】
次に、写真フィルムＦが１３５サイズの場合にはカッター５が作動するものであり、カッター５が作動するまでにカートリッジＣａから写真フィルムＦが引き出された時間に基づいて前記長さ計測手段７が写真フィルムＦの長さを求め、この長さに基づいて乾燥時間Ｔ３を設定する（＃０２ステップ）。
【００３９】
次に、キーボード１９が操作された場合には、操作されたキーが強制乾燥キー１９Ａである場合には、最大値を乾燥時間Ｔ３（図５（ｂ）を参照）に設定し、前記設定キー１９Ｂ、選択キー１９Ｃ、決定キー１９Ｄ夫々の操作によってフィルム長さが設定された場合には、フィルム長さに対応した乾燥時間Ｔ３を設定する（＃０３ステップ）。尚、最大値となる乾燥時間Ｔ３は１３５サイズの３６ＥＸＰの写真フィルムＦや２２０サイズの写真フィルムＦを乾燥するに充分な数値である。
【００４０】
これらの処理の後においては、単一の乾燥時間Ｔ３が設定されている場合には、その乾燥時間Ｔ３を乾燥処理に用いる時間として決定し、また、複数の乾燥時間Ｔ３が設定されている場合には、最大となる乾燥時間Ｔ３を乾燥処理に用いる時間として決定する（＃０４ステップ）。
【００４１】
複数の乾燥時間Ｔ３が設定される場合として、存否センサＳで検出できない１３５サイズの写真フィルムＦの現像処理を行う状況を例に挙げることが可能であり、このような状況では、カートリッジＣａからカッター５が作動するまでに引き出された写真フィルムＦの長さに基づいて乾燥時間Ｔ３が設定されるものとなるが、この設定以外にキーボード１９の操作に基づいて乾燥時間Ｔ３が設定された場合には、２種類の乾燥時間Ｔ３が設定されるものの、最大となる乾燥時間Ｔ３が選択されるので乾燥処理に不都合はない。
【００４２】
そして、制御装置２５が決定した乾燥時間Ｔ３を前記乾燥処理部Ｃのヒータ１５とブロワ１６とを延長する形態で駆動することにより写真フィルムＦ適正に乾燥できるものになる。
【００４３】
このように構成されているので、例えば、１３５サイズの写真フィルムＦの現像処理を行う場合には、前記フィルム供給部Ａの蓋体２を開き、リーダを写真フィルムＦの先端に取り付けておき、その写真フィルムＦの前記カートリッジ保持部３にカートリッジＣａをセットし、蓋体２を閉じて現像処理を開始することにより、写真フィルムＦが現像処理部Ｂに送り込まれると共に、この写真フィルムＦの後端を切断するタイミングに達するとカッター５が作動して写真フィルムの後端が切断される。
【００４４】
１３５サイズの写真フィルムＦがフィルム供給部Ａから送り出される際に、存否センサＳが写真フィルムＦを検出した場合には、前記液晶表示部１８に対して写真フィルムＦを検出したことを示す文字やシンボルを表示すると共に、この写真フィルムＦを継続的に検出した時間に基づいて乾燥時間Ｔ３が設定される。これとは逆に存否センサＳで写真フィルムＦを検出しない場合には、前記液晶表示部１８に対して写真フィルムＦを検出しない状態にあることを示す文字やシンボルを表示し、この後、前述した＃２ステップのようにカッター５が作動するまでにカートリッジＣａから写真フィルムＦが引き出された時間を求め、この時間から写真フィルムＦの長さを求め、この長さに基づいて乾燥時間Ｔ３が設定される。
【００４５】
また、２４０サイズの写真フィルムＦの現像処理では、カッター５で後端を切断する処理を行わないために、存否センサＳで写真フィルムＦを検出しない場合には、前記液晶表示部１８に写真フィルムＦが検出されない状態にあることを示す文字やシンボルが表示されるため、この表示に基づきオペレータが人為的にキーボード１９を操作して乾燥時間を設定する必要がある。この表示に基づいて強制乾燥キー１９Ａを操作した場合には、最も長い写真フィルムＦを乾燥するに充分な乾燥時間Ｔ３が設定され、設定キー１９Ｂを操作した後に、選択キー１９Ｃの操作で写真フィルムＦを選択し、決定キー１９Ｄで選択した写真フィルＦを選択した場合には、写真フィルムＦに対応した適切な乾燥時間Ｔ３が設定される。このように乾燥時間Ｔ３が人為的に設定された場合には、乾燥処理部Ｃのヒータ１５とブロワ１６とを乾燥時間Ｔ３に対応する時間だけ延長する形態で作動させて確実な乾燥を実現するものとなっている。
【００４６】
このように、本発明のフィルムプロセッサでは存否センサＳで検出できない写真フィルムＦの現像処理を行う場合でも、その写真フィルムＦが１３５サイズのように後端をカッター５で切断するものでは、適切な乾燥時間が自動的に設定され、また、カッター５が作動しないものでも任意に乾燥時間を設定することにより確実に写真フィルムＦの乾燥を行えるのである。
【００４７】
〔別実施の形態〕
本発明は、上記した実施の形態以外に以下のように構成しても良い。
【００４８】
（イ）乾燥設定ユニットとしてのキーボード１９に対して主要な写真フィルムに対応した複数のキーを備えても良い。このように構成した場合には写真フィルムに対応するキーを操作すると云う、極めて簡単な操作によって適切な乾燥時間を設定できる。また、キーボード１９から乾燥時間を数値で入力するように構成しても良い。このように構成した場合には、空気の湿度や気温のように写真フィルムの乾燥に対する環境の影響を加味した乾燥時間の設定が可能となる。
【００４９】
（ロ）現像処理を行う際に、リーダの検出に基づいて乾燥処理部Ｃでの乾燥処理を開始する制御に代えて、任意に設定したタイミングで乾燥処理を開始することや、設定された乾燥時間だけ乾燥処理部Ｃのヒータ１５とブロワ１６とを作動させるように構成する。このように乾燥処理時間を設定することにより電力の無駄な消費を低減できる。
【００５０】
（ハ）存否センサＳで写真フィルムＦを検出できない状況にある場合には、検出できない状況にあることを音声で報知できるように報知手段を構成する。このように報知手段を構成することにより、写真フィルムＦが存否センサＳで検出できない状態にあることを確実にオペレータに認識させ得るものとなる。
【図面の簡単な説明】
【００５１】
【図１】フィルムプロセッサの縦断側面図
【図２】制御系のブロック回路図
【図３】コントロールパネルを示す図
【図４】乾燥時間設定ルーチンのフローチャート
【図５】現像処理時の制御状態を示すタイミングチャート
【符号の説明】
【００５２】
Ａ            フィルム供給部
Ｂ            現像処理部
Ｃ            乾燥処理部
Ｆ            写真フィルム
Ｇ            乾燥制御手段
Ｐ            搬送手段
Ｓ            存否センサ
Ｃａ          カートリッジ
３            カートリッジ保持部
５            カッター
７            長さ計測手段
１８          報知手段
１９          情報入力部
２０          乾燥設定ユニット
【図１】
2005274654.tif 000003
【図２】
2005274654.tif 000004
【図３】
2005274654.tif 000005
【図４】
2005274654.tif 000006
【図５】
2005274654.tif 000007